Podtech/llm-jp-corpus-v4-ja_patent huggingface dataset:
【手続補正書】
【提出日】平成28年5月6日(2016.5.6)
【手続補正１】
【補正対象書類名】特許請求の範囲
【補正対象項目名】全文
【補正方法】変更
【補正の内容】
【特許請求の範囲】
【請求項１】
植物、植物の一部または植物細胞中でロタウイルス様粒子(ＲＬＰ)を製造する方法であって：
ａ)植物内で活性であり、第一ロタウイルス構造タンパク質をコードする第一ヌクレオチド配列に作動可能に連結する第一調節領域を含む第一核酸、植物内で活性であり、第二ロタウイルス構造タンパク質をコードする第二ヌクレオチド配列に作動可能に連結する第二調節領域を含む第二核酸および植物内で活性であり、第三ロタウイルス構造タンパク質をコードする第三ヌクレオチド配列に作動可能に連結する第三調節領域を含む第三核酸を植物、植物の一部または植物細胞に導入し、
ｂ)  植物、植物の一部または植物細胞を、第一、第二および第三核酸の一過性発現を可能にする条件下でインキュベートして、ＲＬＰを産生し、
ｃ)  植物、植物の一部または植物細胞を収穫し、
ｄ)  ＲＬＰを植物、植物の一部または植物細胞からカルシウム存在下で精製する
ことを含む、方法。
【請求項２】
植物内で活性であり、第四ロタウイルス構造タンパク質をコードする第四ヌクレオチド配列に作動可能に連結する第四調節領域を含む第四核酸を工程ａ)において植物、植物の一部または植物細胞に導入し、工程ｂ)において植物、植物の一部または植物細胞をインキュベートしたとき発現させる、請求項１に記載の方法。
【請求項３】
第一ロタウイルス構造タンパク質がＶＰ２であり、第二ロタウイルス構造タンパク質がＶＰ６であり、第三ロタウイルス構造タンパク質がＶＰ４またはＶＰ７である、請求項１に記載の方法。
【請求項４】
第一ロタウイルス構造タンパク質がＶＰ２であり、第二ロタウイルス構造タンパク質がＶＰ６であり、第三ロタウイルス構造タンパク質がＶＰ４であり、第四ロタウイルス構造タンパク質がＶＰ７である、請求項２に記載の方法。
【請求項５】
第一、第二および第三ヌクレオチド配列またはこれらの組み合わせがササゲモザイクウイルス(ＣＰＭＶ)調節領域に作動可能に連結する、請求項１に記載の方法。
【請求項６】
第一、第二、第三または第四ヌクレオチド配列またはこれらの組み合わせがササゲモザイクウイルス(ＣＰＭＶ)調節領域に作動可能に連結する、請求項２に記載の方法。
【請求項７】
ＲＬＰがＶＰ４ロタウイルス構造タンパク質を含み、ＲＬＰが７０〜１００nmサイズであり、ここで、該ＲＬＰが植物特異的Ｎ−グリカンまたは修飾Ｎ−グリカンを含む１個以上のロタウイルス構造タンパク質を含む、請求項３に記載の方法で製造したＲＬＰ。
【請求項８】
ＲＬＰが７０〜１００nmサイズであり、植物特異的Ｎ−グリカンまたは修飾Ｎ−グリカンを含む１個以上のロタウイルス構造タンパク質を含む、請求項４に記載の方法で製造したＲＬＰ。
【請求項９】
対象に免疫応答を誘発するための有効量の請求項７に記載のＲＬＰおよび薬学的に許容される担体を含む、組成物。
【請求項１０】
対象に免疫応答を誘発するための有効量の請求項８に記載のＲＬＰおよび薬学的に許容される担体を含む、組成物。
【請求項１１】
ＶＰ２をコードするヌクレオチド配列が配列番号１３、配列番号１４または配列番号４５により定義したヌクレオチド配列と８０％〜１００％同一性を含み、ＶＰ６をコードするヌクレオチド配列が配列番号１７、配列番号１８または配列番号４６により定義したヌクレオチド配列と８０％〜１００％同一性を含み、ＶＰ７をコードするヌクレオチド配列が配列番号１９、２０、４８、４９、５２、５３、５４または５７により定義したヌクレオチド配列と８０％〜１００％同一性を含み、ＶＰ４をコードするヌクレオチド配列が配列番号１５、１６、４７、５０または５１により定義したヌクレオチド配列と８０％〜１００％同一性を含む、請求項３に記載の方法。
【請求項１２】
ＶＰ２をコードするヌクレオチド配列が配列番号１３、配列番号１４または配列番号４５により定義したヌクレオチド配列と８０％〜１００％同一性を含み、ＶＰ６をコードするヌクレオチド配列が配列番号１７、配列番号１８または配列番号４６により定義したヌクレオチド配列と８０％〜１００％同一性を含み、ＶＰ７をコードするヌクレオチド配列が配列番号１９、２０、４８、４９、５２、５３、５４または５７により定義したヌクレオチド配列と８０％〜１００％同一性を含み、ＶＰ４をコードするヌクレオチド配列が配列番号１５、１６、４７、５０または５１により定義したヌクレオチド配列と８０％〜１００％同一性を含む、請求項４に記載の方法。
【請求項１３】
植物、植物の一部または植物細胞中でロタウイルス様粒子(ＲＬＰ)を製造する方法であって：
ａ)  植物内で活性であり、第一ロタウイルス構造タンパク質をコードする第一ヌクレオチド配列に作動可能に連結する第一調節領域を含む第一核酸、植物内で活性であり、第二ロタウイルス構造タンパク質をコードする第二ヌクレオチド配列に作動可能に連結する第二調節領域を含む第二核酸および植物内で活性であり、第三ロタウイルス構造タンパク質をコードする第三ヌクレオチド配列に作動可能に連結する第三調節領域を含む第三核酸を植物、植物の一部または植物細胞を提供し；そして
ｂ)  植物、植物の一部または植物細胞を、第一、第二および第三核酸の一過性発現を可能にする条件下でインキュベートして、ＲＬＰを産生し、
ｃ)  植物、植物の一部または植物細胞を収穫し、そして
ｄ)  ＲＬＰを植物、植物の一部または植物細胞からカルシウム存在下で抽出し、精製する
ことを含む、方法。
【請求項１４】
植物、植物の一部または植物細胞が工程ａ)において植物内で活性であり、第四ロタウイルス構造タンパク質をコードする第四ヌクレオチド配列に作動可能に連結する第四調節領域を含む第四核酸を伴い提供され、第四ロタウイルス構造タンパク質は工程ｂ)において植物、植物の一部または植物細胞をインキュベートしたときに発現される、請求項１３に記載の方法。
【請求項１５】
ＲＬＰがＶＰ４ロタウイルス構造タンパク質を含み、ＲＬＰが７０〜１００nmサイズであり、ここで、該ＲＬＰが植物特異的Ｎ−グリカンまたは修飾Ｎ−グリカンを含む１個以上のロタウイルス構造タンパク質を含む、請求項１３に記載の方法で製造したＲＬＰ。
【請求項１６】
ＲＬＰが７０〜１００nmサイズであり、植物特異的Ｎ−グリカンまたは修飾Ｎ−グリカンを含む１個以上のロタウイルス構造タンパク質を含む、請求項１４に記載の方法で製造したＲＬＰ。
【請求項１７】
対象に免疫応答を誘発するための有効量の請求項１５に記載のＲＬＰおよび薬学的に許容される担体を含む、組成物。
【請求項１８】
対象に免疫応答を誘発するための有効量の請求項１６に記載のＲＬＰおよび薬学的に許容される担体を含む、組成物。
【請求項１９】
請求項１７の組成物を投与することを含む、対象におけるロタウイルス感染に対する免疫を誘発する方法。
【請求項２０】
請求項９の組成物を投与することを含む、対象におけるロタウイルス感染に対する免疫を誘発する方法。
【請求項２１】
請求項１０の組成物を投与することを含む、対象におけるロタウイルス感染に対する免疫を誘発する方法。
【請求項２２】
請求項１８の組成物を投与することを含む、対象におけるロタウイルス感染に対する免疫を誘発する方法。
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
結晶形態のモノクローナル抗体を調製する方法であって、
ａ）モノクローナル抗体を含む無細胞の細胞培養上清を用意する工程と、
ｂ）低イオン強度緩衝液を前記無細胞の細胞培養上清に前記抗体の結晶化を促進するために十分な量で添加する工程であって、前記低イオン強度緩衝液のｐＨが、抗体が溶解可能で結晶化または沈殿しないｐＨである、工程と、
ｃ）結晶化前の溶液のｐＨを調整して結晶を生成する工程と、
ｄ）工程ｃ）で形成された結晶を単離する工程と
を含み、無細胞の細胞培養上清に含有された抗体の少なくとも５０％が工程ｄで単離される、上記方法。
【請求項２】
精製モノクローナル抗体を調製する方法であって、
ａ）モノクローナル抗体を含む組成物に低イオン強度緩衝液を添加し、組成物から不純物を沈殿させる工程であって、前記低イオン強度緩衝液のｐＨが、抗体が溶解可能で結晶化または沈殿しないｐＨである、工程と、
ｂ）沈殿物を除去して第１の清澄化した組成物を生成する工程と、
ｃ）場合により前記清澄化した組成物に低イオン強度緩衝液を添加して組成物から不純物を沈殿させ、第２の清澄化した組成物を生成する工程であって、前記低イオン強度緩衝液のｐＨが、抗体が溶解可能で結晶化または沈殿しないｐＨである、工程と、
ｄ）工程ｃ）の組成物から沈殿物を除去する工程と、
ｅ）第１または第２の清澄化した組成物のｐＨをモノクローナル抗体のｐＩ付近に調整し、場合により１種以上の添加物を添加して結晶を生成する工程と、
ｆ）工程ｅ）で形成された結晶を単離する工程と
を含む、上記方法。
【請求項３】
前記モノクローナル抗体を含む組成物が、モノクローナル抗体を含む無細胞の細胞培養上清であり、工程ａ）および工程ｃ）は、それぞれ、無細胞の細胞培養上清又は清澄化した上清を低イオン強度緩衝液に対して透析する工程を含み、場合により工程ａ）と工程ｂ）との間および／または工程ｂ）と工程ｃ）との間に前記上清を濃縮する、請求項２に記載の方法。
【請求項４】
低イオン強度緩衝液が約１２ｍＳ  ｃｍ−１以下の伝導度を与えるものである、請求項１〜３のいずれか一項に記載の方法。
【請求項５】
低イオン強度緩衝液が約４ｍＳ  ｃｍ−１以下の伝導度を与えるものである、請求項１〜３のいずれか一項に記載の方法。
【請求項６】
低イオン強度緩衝液が約２ｍＳ  ｃｍ−１以下の伝導度を与えるものである、請求項１〜３のいずれか一項に記載の方法。
【請求項７】
低イオン強度緩衝液が、
（i）ヒスチジン緩衝液である、
（ii）少なくとも１種以上の塩を含む、かつ／又は
（iii）少なくとも１種以上の糖を含む、
請求項１〜６のいずれか一項に記載の方法。
【請求項８】
ｐＨが、
（i）トリス緩衝液、及び／又は
（ii）塩化ナトリウム、ポリエチレングリコールおよび糖からなる群から選択される１種以上の添加物を含む緩衝液
を使用して調整される、請求項１〜７のいずれか一項に記載の方法。
【請求項９】
無細胞の培養上清に含まれている抗体の少なくとも約５０％が、単離工程で単離される、請求項１〜８のいずれか一項に記載の方法。
【請求項１０】
結晶化抗体の純度が少なくとも約９０％である、請求項１〜９のいずれか一項に記載の方法。
【請求項１１】
（i）単離された結晶を溶液に溶解すること、
（ii）溶液のｐＨをモノクローナル抗体のｐＩ付近に調整することによりモノクローナル抗体を再結晶化させること、及び／または
（iii）細胞培養上清の初期タンパク質濃度を調整することにより、結晶サイズを制御すること
をさらに含む、請求項１〜１０のいずれか一項に記載の方法。
【請求項１２】
特定の速度で基質を攪拌することにより結晶サイズを制御することをさらに含む、請求項１〜１１のいずれか一項に記載の方法。
【請求項１３】
結晶化が、１Ｗ  Ｌ−１未満の体積あたりの投入動力の攪拌によって起こる、請求項１〜１２のいずれか一項に記載の方法。
【請求項１４】
最大局所エネルギー消費（εｍａｘ）が、約０．００９Ｗ  ｋｇ−１〜約１．３Ｗ  ｋｇ−１、特に約０．１〜約０．４Ｗ  ｋｇ−１である、請求項１２に記載の方法。
【請求項１５】
３ブレードセグメントインペラが攪拌に使用される、請求項１２〜１４のいずれか一項に記載の方法。
【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
用具の動きを組織体に向けて案内するように構成される患者別のサージカルガイドを作製する方法であって、
固定部材の仮想３次元モデルを前記組織体の第１の仮想３次元モデルに結合するように前記固定部材の前記仮想３次元モデルを処理する工程であって、前記組織体の前記第１の仮想３次元モデルは第１の領域を画定し、前記少なくとも１つの穴の中心軸は、前記第１の領域の第１のターゲット位置と実質的に整列されるようになっている、工程と、
少なくとも１つの穴を画定するガイドの仮想３次元モデルを作製する工程と、
前記ガイドの前記仮想３次元モデルを前記第１の領域と実質的に同一である第２の領域を有する前記組織体の第２の仮想３次元モデルに結合するように前記ガイドの前記仮想３次元モデルを処理する工程であって、前記少なくとも１つの穴の中心軸は、前記組織体の前記第２の仮想３次元モデルの第２のターゲット位置と実質的に整列されるようになっている、工程と、を含み、前記第２のターゲット位置は、前記組織体の前記それぞれの第１及び第２の仮想３次元モデルに対する前記第１のターゲット位置に関して同一に位置決めされている、方法。
【請求項２】
コンピュータにおいて前記固定部材の前記仮想３次元モデルを取得する工程を更に含む、請求項１に記載の方法。
【請求項３】
前記固定部材の前記仮想３次元モデルを取得する前記工程は、前記固定部材を前記組織体の物理的モデルに結合する工程を含み、
前記固定部材の前記仮想３次元モデルを取得する前記工程は、前記組織体の前記物理的モデル、及び、前記組織体の前記物理的モデルに結合された前記固定部材をスキャンする工程を更に含む、請求項２に記載の方法。
【請求項４】
固定部材の仮想３次元モデルを取得する工程を含み、
前記固定部材の取得された前記仮想３次元モデルは、計画された術後の形状を有し、かつ、締結具を受けるように構成される少なくとも１つの穴を画定する、請求項１に記載の方法。
【請求項５】
前記作製する工程は、少なくとも１つの切断ガイドを画定する前記ガイドの前記仮想３次元モデルを作製する工程を含む、請求項４に記載の方法。
【請求項６】
第２の処理する工程は、前記切断ガイドを前記組織体の前記第２の領域と切除領域との間の術前に計画された接合面と整列させる工程を更に含む、請求項５に記載の方法。
【請求項７】
前記固定部材の前記仮想３次元モデルを取得する前記工程は、走査機械を使用して前記固定部材をスキャンする工程を含む、請求項１〜６のいずれか一項に記載の方法。
【請求項８】
前記固定部材の前記仮想３次元モデルを取得する前記工程は、ＣＴスキャン機、レーザスキャナ、オプティカルスキャナ、ＭＲＩ装置、及び座標測定機からなる群から選択される走査機械を使用して前記固定部材をスキャンする工程を含む、請求項１〜７のいずれか一項に記載の方法。
【請求項９】
前記固定部材の前記仮想３次元モデルを取得する前記工程は、前記固定部材を前記組織体の物理的モデルに結合する工程を含み、
前記固定部材の前記仮想３次元モデルを取得する前記工程は、前記固定部材を前記術後の形状に屈曲させる工程を更に含む、請求項１〜８のいずれか一項に記載の方法。
【請求項１０】
前記固定部材の前記仮想３次元モデルを取得する前記工程は、前記固定部材の厚さに対する前記少なくとも１つの穴の経路を特定するためにマーカを前記固定部材の前記少なくとも１つの穴に挿入する工程を更に含む、請求項９に記載の方法。
【請求項１１】
前記固定部材の前記仮想３次元モデルを取得する前記工程は、前記組織体の前記物理的モデル、前記固定部材の少なくとも１つの穴に挿入された前記マーカ、及び前記組織体の前記物理的モデルに結合された前記固定部材をスキャンする工程を更に含む、請求項９又は１０に記載の方法。
【請求項１２】
前記ガイドの前記仮想３次元モデルを処理する前記工程は、前記ガイドが前記組織体の前記仮想前記第２の仮想３次元モデルの特定の部分にフィットするよう輪郭を付けられるように前記ガイドの前記仮想３次元モデルを操作する工程を含む、請求項１〜１１のいずれか一項に記載の方法。
【請求項１３】
切断用具の動きを組織体に向けて案内するように構成される患者別のサージカルガイドを作製する方法であって、
前記組織体の仮想３次元モデルを取得する工程と、
第１の領域及び第２の領域を前記組織体の前記仮想３次元モデル上で特定する工程と、
固定部材の仮想３次元モデルを取得する工程であって、前記固定部材の取得された前記仮想３次元モデルは、計画された術後の形状を有し、かつ、締結具を受けるように構成される少なくとも１つの第１の穴を画定する、工程と、
前記固定部材の前記仮想３次元モデルを前記組織体の前記仮想３次元モデルに結合するように前記固定部材の前記仮想３次元モデルを処理する工程であって、前記少なくとも１つの第１の穴の中心軸は前記第２の領域の第１のターゲット位置と実質的に整列されるようになっている、工程と、
少なくとも１対の切断ガイド及び少なくとも１つの第２の穴を画定する切除ガイドの仮想３次元モデルを作製する工程と、
前記切除ガイドの前記仮想３次元モデルを前記切断ガイド間に配置された移植片部分の仮想３次元モデルに結合するように前記切除ガイドの前記仮想３次元モデルを処理する工程であって、前記移植片部分は、前記第２の領域に収まるようにサイズ決めされ、前記少なくとも１つの第２の穴の中心軸が前記移植片部分の前記３次元モデルの第２のターゲット位置と実質的に整列されるようになっている、工程と、を含み、前記第２のターゲット位置は、前記移植片部分が前記第２の領域内に位置決めされたときに前記第１のターゲット位置に対して実質的に一致する、方法。
【請求項１４】
前記取得する工程は、前記固定部材の画像を取得するために前記固定部材をスキャンする工程と、前記固定部材の前記仮想３次元モデルにおいて前記固定部材の前記少なくとも１つの穴を画定するために前記固定部材の前記画像を操作する工程とを更に含み、前記操作する工程は、前記少なくとも１つの穴の前記中心軸を特定する工程を含む、請求項４〜１３のいずれか一項に記載の方法。
【請求項１５】
ラピッドプロトタイピング製造法を使用して前記ガイドの前記仮想３次元モデルと同一の前記ガイドを構築する工程を更に含み、
前記ガイドを構築する前記工程は、前記ガイドの前記仮想３次元モデルをコンピュータから製作機械に転送する工程を含む、請求項１〜１４のいずれか一項に記載の方法。
【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
酸素含有ガスから酸素を分離する方法であって、
少なくとも、第１及び第２の酸素分離期間に行うステップと、
前記第１酸素分離期間と前記第２の酸素分離期間との間の冷却期間に行うステップと、
を含み、
前記第１及び前記第２の酸素分離期間に行うステップは、それぞれ、酸素含有ガスを、酸素分離吸着剤を含む酸素分離デバイスの一次側に導くステップと、前記酸素分離デバイスの前記一次側と二次側との間に圧力差を作ることによって、前記酸素分離デバイスから出る酸素を豊富に含むガスの流れを生成するステップとを含み、
前記冷却期間に行うステップは、
フラッシング収着質を、前記酸素分離デバイスを通り抜けるように導くステップと、
冷却収着質を、前記酸素分離デバイスを通り抜けるように導くステップと、
を含み、
前記フラッシング収着質は、前記酸素分離吸着剤に対し、吸着エネルギーｅ１を有し、
前記冷却収着質は、前記酸素分離吸着剤に対し、吸着エネルギーｅ２を有し、
前記吸着エネルギーｅ２は、前記吸着エネルギーｅ１よりも低く、
前記フラッシング収着質を、前記酸素分離デバイスを通り抜けるように導くステップ、及び／又は、前記冷却収着質を、前記酸素分離デバイスを通り抜けるように導くステップは、前記酸素分離吸着剤の温度に依存して行われる、方法。
【請求項２】
前記フラッシング収着質は、窒素を含み、及び／又は、前記冷却収着質は、酸素又は希ガスを含む、請求項１に記載の方法。
【請求項３】
前記フラッシング収着質及び／又は前記冷却収着質は、酸素分離期間の間及び／又は冷却期間の間に生成される、請求項１に記載の方法。
【請求項４】
前記フラッシング収着質を、前記酸素分離デバイスを通り抜けるように導くステップと、前記冷却収着質を、前記酸素分離デバイスを通り抜けるように導くステップとは、オフ期間により区切られる、請求項１に記載の方法。
【請求項５】
前記酸素分離吸着剤は、３ｗｔ‰よりも多い量のフラッシング収着質でロードされる、請求項１に記載の方法。
【請求項６】
酸素含有ガスの流れを酸素分離デバイス内へと導くための一次側におけるガス注入口と、酸素を豊富に含むガスの流れを前記酸素分離デバイスから外に導くための二次側におけるガス排出口とを有し、酸素分離吸着剤を含む少なくとも１つの酸素分離デバイスと、
前記少なくとも１つの酸素分離デバイスの前記一次側と前記二次側との間に圧力差を作る圧力調節デバイスと、
を含む、酸素分離器であって、
前記酸素分離器は、
２つの酸素生成期間の間に、前記酸素分離吸着剤の温度に依存してフラッシング収着質を、前記少なくとも１つの酸素分離デバイスを通り抜けるように導き、２つの酸素生成サイクルの間に、前記酸素分離吸着剤の温度に依存して冷却収着質を、前記少なくとも１つの酸素分離デバイスを通り抜けるように導く制御ユニットを含み、前記フラッシング収着質は、前記酸素分離吸着剤に対し、吸着エネルギーｅ１を有し、前記冷却収着質は、前記酸素分離吸着剤に対し、吸着エネルギーｅ２を有し、前記吸着エネルギーｅ２は、前記吸着エネルギーｅ１よりも低い、酸素分離器。
【請求項７】
前記酸素分離吸着剤の温度を検出するセンサを含む、請求項６に記載の酸素分離器。
【請求項８】
前記フラッシング収着質を収容する容器及び／又は前記冷却収着質を収容する容器を含む、請求項６に記載の酸素分離器。
【請求項９】
前記酸素分離吸着剤は、Ｌｉ−ＬＳＸゼオライトを含む、請求項６に記載の酸素分離器。
【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
Ａ．第１ステータおよび第２ステータを備える筺体と、
Ｂ．前記筺体内に第１流路と第２流路を形成し、前記第１と第２流路の間に流体連絡を提供するように前記第１ステータと前記第２ステータの間に配置されたロータであって、回転可能な軸に接続された、ロータと、
Ｃ．低剪断領域における前記第１次流路への一次入口と、
Ｄ．前記一次入口の剪断よりも高い剪断を有する１つ以上の領域における前記第１流路への２つ以上の二次入口と、
Ｅ．前記第２流路からの出口と、
を備える放射状流ロータ・ステータ混合機。
【請求項２】
前記一次入口の剪断よりも高い剪断を有する１つ以上の領域に前記第１流路への３つ以上の二次入口を備える請求項１に記載の放射状流ロータ・ステータ混合機。
【請求項３】
前記二次入口は、前記一次入口が行うように前記第１流路の同じ領域中に原料供給しない請求項１に記載の放射状流ロータ・ステータ混合機。
【請求項４】
放射状流ロータ・ステータ混合機を用いてポリマー性泡沫を製造するプロセスであって、前記混合機は、
Ａ．第１ステータおよび第２ステータを備える筺体と、
Ｂ．前記筺体内に第１流路と第２流路を形成し、前記第１と第２流路の間に流体連絡を提供するように前記第１ステータと前記第２ステータの間に配置されたロータであって、回転可能な軸に接続された、ロータと、
Ｃ．低剪断領域における前記第１流路への一次入口と、
Ｄ．前記一次入口の剪断よりも高い剪断を有する１つ以上の領域における前記第１流路への２つ以上の二次入口と、
Ｅ．前記第２流路からの出口と、
を備え、
前記プロセスは、
１．前記一次入口を通して液体を含む第１原料を前記第１流路の第１剪断領域へ導入するステップであって、前記第１原料はモノマー、プレポリマーまたはポリマーを含む、ステップと、
２．１つ以上の前記二次入口を通して液体を含む第２原料を前記第１流路の第２剪断領域中に導入するステップであって、前記第２剪断領域は前記第１剪断領域の剪断よりも大きい、ステップと、
３．前記第１流路内に前記第１および第２原料の泡沫を形成するステップと、
４．前記泡沫を前記第１流路から前記第２流路に移すステップと、
５．前記混合機の前記出口を通して前記泡沫を排出するステップと、
を含む。
【請求項５】
前記第１流路の前記第２剪断領域中に導入される前記流体が気体である、請求項４に記載のプロセス。
【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
CD37陽性悪性疾患、好ましくはB細胞悪性疾患、もっとも好ましくは慢性リンパ球性白血病（CLL）又はB細胞非ホジキンリンパ腫（B-NHL）を罹患する患者の治療方法でCD20抗体と併用して使用されるCD37抗体を含む医薬組成物であって、該CD37抗体が、a）配列番号：15、16又は21、及び17を有するCDRを含む可変重鎖、及びb）配列番号：18、19及び20を有するCDRを含む可変軽鎖を含む、医薬組成物。
【請求項２】
該CD20抗体がリツキシマブである、請求項１に記載の医薬組成物。
【請求項３】
該患者が少なくとも1用量のベンダムスチンを追加で投与される、請求項１又は２に記載の医薬組成物。
【請求項４】
前記CD37抗体が、約10μg/kgから40mg/kgの用量で、又は患者につき約1mgから2800mgの用量で投与される、請求項１から３のいずれかに記載の医薬組成物。
【請求項５】
CD37陽性細胞を減少させるためのキットであって、
a）CD37抗体を含む容器（前記CD37抗体は、
i）配列番号：15、16又は21、及び17を有するCDRを含む可変重鎖、及び
ii）配列番号：18、19及び20を有するCDRを含む可変軽鎖を含む）、及び
b）工程a）のCD37抗体をCD20抗体と併用投与することによってCD37陽性細胞を減少させるために該キットを使用するためのプロトコール、及び／又は
c）場合によって、工程a）のCD37抗体をベンダムスチン及びCD20抗体と併用投与することによってCD37陽性細胞を減少させるために該キットを使用するためのプロトコール
を含む、前記キット。
【請求項６】
CD37陽性細胞を減少させるためのキットであって、
a）CD37抗体を含む第一の容器（前記CD37抗体は、
i）配列番号：15、16又は21、及び17を有するCDRを含む可変重鎖、及び
ii）配列番号：18、19及び20を有するCDRを含む可変軽鎖を含む）、及び
b）C20抗体を含む第二の容器、及び
c）場合によってベンダムスチンを含む第三の容器、及び
d）CD37陽性細胞を減少させるために該キットを使用するためのプロトコール
を含む、前記キット。
【請求項７】
該CD20抗体がリツキシマブである、請求項５又は６に記載のキット。
【請求項８】
該プロトコールが、該CD37抗体及びベンダムスチンを同時に投与するように指示するか、
又は該プロトコールが、ベンダムスチンの前に、好ましくはベンダムスチンの投与前24時間以内に又は36時間以内に該CD37抗体を投与するように指示するか、
又は該プロトコールが、ベンダムスチンの後に、好ましくはベンダムスチンの投与後24時間以内に又は36時間以内に該CD37抗体を投与するように指示する、請求項５から７のいずれかに記載のキット。
【請求項９】
該プロトコールが、CD37陽性悪性疾患、好ましくはB細胞悪性疾患、好ましくは慢性リンパ球性白血病（CLL）又はB-NHL、もっとも好ましくはCLL罹患患者に該キット成分を投与するように指示する、請求項５から８のいずれかに記載のキット。
【請求項１０】
該抗体が、配列番号：5のアミノ酸配列を含む重鎖及び配列番号：6のアミノ酸配列を含む軽鎖を有する、請求項１から４のいずれかに記載の医薬組成物、又は請求項５から９のいずれかに記載のキット。
【請求項１１】
該抗体が、配列番号：9のアミノ酸配列を含む重鎖及び配列番号：10のアミノ酸配列を含む軽鎖を有する、請求項１から４のいずれかに記載の医薬組成物、又は請求項５から９のいずれかに記載のキット。
【請求項１２】
該抗体が、配列番号：11のアミノ酸配列を含む重鎖及び配列番号：12のアミノ酸配列を含む軽鎖を有する、請求項１から４のいずれかに記載の医薬組成物、又は請求項５から９のいずれかに記載のキット。
【請求項１３】
該抗体が、配列番号：13のアミノ酸配列を含む重鎖及び配列番号：14のアミノ酸配列を含む軽鎖を有する、請求項１から４のいずれかに記載の医薬組成物、又は請求項５から９のいずれかに記載のキット。
【請求項１４】
該CD37陽性悪性疾患が、多発性骨髄腫、プラズマ細胞腫、T細胞リンパ腫、急性リンパ芽球性白血病（ALL）、及びB細胞悪性疾患、例えばB細胞リンパ腫、攻撃性B細胞リンパ腫、ホジキン病、B細胞非ホジキンリンパ腫（NHL）、リンパ腫、ヴァルデンストレームマクログロブリン血症（リンパプラズマ細胞性リンパ腫又は免疫細胞腫とも称される）、中枢神経系リンパ腫、白血病、急性リンパ芽球性白血病（ALL）、慢性リンパ球性白血病（CLL、B細胞慢性リンパ球性白血病（BCLL）とも称される）、ヘアリー・セル白血病、慢性骨髄性白血病、小リンパ球性リンパ腫、B細胞前リンパ球性白血病、リンパプラズマ細胞性リンパ腫、脾辺縁層リンパ腫、粘膜結合リンパ系組織（MALT）の節外辺縁層B細胞腫、リンパ節辺縁層B細胞リンパ腫、濾胞性リンパ腫、外套細胞リンパ腫、びまん性大B細胞リンパ腫、縦隔（胸線）大B細胞リンパ腫、血管内大B細胞リンパ腫、原発性浸出リンパ腫、バーキットリンパ腫/白血病、グレイゾーンリンパ腫、悪性性不確定B細胞増殖、リンパ腫様肉芽腫症、及び移植後リンパ球増殖性異常から成る群から選択され、該B細胞悪性疾患が好ましくはB細胞非ホジキンリンパ腫、慢性リンパ球性白血病であり、該B細胞悪性疾患がもっとも好ましくは慢性リンパ球性白血病（CLL）である、請求項１から４のいずれかに記載の医薬組成物、又は請求項５から９のいずれかに記載のキット。
【誤訳訂正書】
【提出日】平成28年5月9日(2016.5.9)
【誤訳訂正１】
【訂正対象書類名】明細書
【訂正対象項目名】００１６
【訂正方法】変更
【訂正の内容】
【００１６】
本明細書において使用される際、「中枢神経系障害」または「CNS障害」という用語は、神経変性障害、急性脳損傷（例えば、卒中、頭部損傷、脳性麻痺、脳梗塞、脊髄損傷、外傷性損傷）、およびある特定の中枢神経系「CNS」機能不全（例えば、うつ病、てんかん、および統合失調症）を指す。
【誤訳訂正２】
【訂正対象書類名】明細書
【訂正対象項目名】００１８
【訂正方法】変更
【訂正の内容】
【００１８】
本明細書において使用される際、「急性脳損傷」という用語は、卒中、頭部損傷、脳性麻痺、脳梗塞、脊髄損傷、および外傷性損傷を指す。
【誤訳訂正３】
【訂正対象書類名】明細書
【訂正対象項目名】０１０６
【訂正方法】変更
【訂正の内容】
【０１０６】
別の態様において、抗SEMA4D結合分子、例えば、抗体またはその抗原結合断片を含む薬学的組成物は、患者へ、血液脳関門を迂回し得る（すなわち、血液側で作用する）当技術分野において公知である任意の形態を含む、任意の従来の形態において送達されてもよい。SEMA4Dの内皮細胞上の受容体との相互作用のために、抗SEMA4D結合分子の適用または投与は、血液脳関門の血液側で起きてもよい。抗SEMA4D結合分子を、例えば静脈内投与を含むがこれに限定されない、血液側に曝露する経路により投与することによって、抗SEMA4D結合分子は、SEMA4Dの内皮細胞により発現されるSEMA4D受容体または受容体の一部との相互作用を阻害することが可能になるであろう。別の態様において、血液脳関門は、例えば、細胞自体が因子を産生するように、増殖因子をコードする遺伝子を含有する発現ベクターでの細胞のインビボトランスフェクションにより、迂回することができる。細胞の任意の有用な遺伝子修飾が、本発明の範囲内である。例えば、増殖因子を発現するための細胞の遺伝子修飾に加えて、神経伝達物質などの他のタイプの神経学的作用物質を発現するように、細胞を修飾してもよい。好ましくは、遺伝子修飾は、脳室領域を裏打ちする細胞の組み換えレトロウイルスでの感染、または当技術分野において公知である方法を用いたトランスフェクションのいずれかにより行われる。
【誤訳訂正４】
【訂正対象書類名】特許請求の範囲
【訂正対象項目名】全文
【訂正方法】変更
【訂正の内容】
【特許請求の範囲】
【請求項１】
中枢神経系障害の少なくとも1つの症候を呈する患者の神経組織において神経形成を促進するための方法であって、セマフォリン-4D（SEMA4D）に特異的に結合する単離された結合分子の有効量を、必要とする対象に投与する段階を含む、方法。
【請求項２】
単離された結合分子がSEMA4D活性を阻害する、請求項1記載の方法。
【請求項３】
阻害されるSEMA4D活性が二量体化である、請求項1記載の方法。
【請求項４】
単離された結合分子が、受容体または受容体の一部とのSEMA4Dの相互作用を阻害する、請求項1記載の方法。
【請求項５】
受容体が、プレキシン-B1、プレキシン-B2、またはCD72からなる群より選択される、請求項4記載の方法。
【請求項６】
VX15/2503または67からなる群より選択される参照モノクローナル抗体がSEMA4Dに特異的に結合することを、前記単離された結合分子が競合的に阻害する、請求項1記載の方法。
【請求項７】
単離された結合分子が、VX15/2503または67からなる群より選択される参照モノクローナル抗体と同一のSEMA4Dエピトープに特異的に結合する、請求項1記載の方法。
【請求項８】
単離された結合分子が、抗体またはその抗原結合断片を含む、請求項1記載の方法。
【請求項９】
抗体またはその抗原結合断片が、モノクローナル抗体VX15/2503もしくは67であるか、またはこれらに由来する、請求項8記載の方法。
【請求項１０】
抗体が、キメラ、ヒト、またはヒト化である、請求項8記載の方法。
【請求項１１】
抗体が、モノクローナル抗体VX15/2503または67由来の6個のCDRを含む、請求項8記載の方法。
【請求項１２】
中枢神経系障害が、神経変性障害、急性脳損傷、およびある特定のCNS機能不全からなる群より選択される、請求項1記載の方法。
【請求項１３】
神経変性障害が、アルツハイマー病、ハンチントン病、筋委縮性側索硬化症、パーキンソン病、および多発性硬化症からなる群より選択される、請求項12記載の方法。
【請求項１４】
CNS機能不全が、うつ病、てんかん、および統合失調症からなる群より選択される、請求項12記載の方法。
【請求項１５】
前駆細胞の数を増加させ、その分化を増強し、および／またはその生存を増大させる、請求項1記載の方法。
【請求項１６】
中枢神経系障害を有する対象において前駆細胞の数を増加させるための方法であって、セマフォリン-4D（SEMA4D）に特異的に結合する単離された結合分子の有効量を該対象に投与する段階を含む、方法。
【請求項１７】
対象において中枢神経系障害の負担を低減させる、請求項16記載の方法。
【請求項１８】
患者において卒中を処置するための方法であって、セマフォリン-4D（SEMA4D）に特異的に結合する単離された結合分子の有効量を、必要とする対象に投与する段階を含む、方法。
【請求項１９】
単離された結合分子がSEMA4Dに特異的に結合する、請求項18記載の方法。
【請求項２０】
単離された結合分子が、受容体または受容体の一部とのSEMA4Dの相互作用を阻害する、請求項18記載の方法。
【請求項２１】
単離された結合分子が、抗体またはその抗原結合断片である、請求項18記載の方法。
【請求項２２】
SEMA4Dに特異的に結合する抗体またはその抗原結合断片が、SEQ ID NO: 1または3に示される配列を有する重鎖可変ドメイン、およびSEQ ID NO: 2または4に示される配列を有する軽鎖可変ドメインを含む、請求項17記載の方法。
【請求項２３】
急性脳損傷が、卒中、頭部損傷、脳性麻痺、脳梗塞、脊髄損傷、および外傷性損傷からなる群より選択される、請求項12記載の方法。
【手続補正書】
【提出日】平成28年5月16日(2016.5.16)
【手続補正１】
【補正対象書類名】特許請求の範囲
【補正対象項目名】全文
【補正方法】変更
【補正の内容】
【特許請求の範囲】
【請求項１】
ウイルス感染を治療するための、抗ウイルスオリゴヌクレオチドキレート錯体を含む抗ウイルス性医薬製剤。
【請求項２】
前記オリゴヌクレオチドキレート錯体が、二価の金属カチオンを用いて調製される、請求項１に記載の医薬製剤。
【請求項３】
前記オリゴヌクレオチドキレート錯体が、カルシウムを用いて調製される、請求項１または２に記載の医薬製剤。
【請求項４】
前記オリゴヌクレオチドキレート錯体が、マグネシウムを用いて調製される、請求項１または２に記載の医薬製剤。
【請求項５】
前記オリゴヌクレオチドキレート錯体が、２種類以上の異なる二価の金属カチオンを含む、請求項１〜４のいずれか１項に記載の医薬製剤。
【請求項６】
前記オリゴヌクレオチドキレート錯体が、カルシウムおよびマグネシウムを含む、請求項１〜５のいずれか１項に記載の医薬製剤。
【請求項７】
前記オリゴヌクレオチドキレート錯体が、少なくとも１つの二本鎖オリゴヌクレオチドを含む、請求項１〜６のいずれか１項に記載の医薬製剤。
【請求項８】
前記オリゴヌクレオチドキレート錯体は、少なくとも１つのホスホロチオエート結合を含む少なくとも１つのオリゴヌクレオチドを含む、請求項１〜７のいずれか１項に記載の医薬製剤。
【請求項９】
前記オリゴヌクレオチドキレート錯体は、少なくとも１つの完全にホスホロチオエート化されたオリゴヌクレオチドを含む、請求項１〜８のいずれか１項に記載の医薬製剤。
【請求項１０】
前記オリゴヌクレオチドキレート錯体は、１つの２’位が修飾されたリボースを含む少なくとも１つのオリゴヌクレオチドを含む、請求項１〜９のいずれか１項に記載の医薬製剤。
【請求項１１】
前記オリゴヌクレオチドキレート錯体が、それぞれのリボースの２’位がＯ−メチル化されている少なくとも１つのオリゴヌクレオチドを含む、請求項１〜１０のいずれか１項に記載の医薬製剤。
【請求項１２】
前記オリゴヌクレオチドキレート錯体は、少なくとも１つの５’メチルシトシンを含む少なくとも１つのオリゴヌクレオチドを含む、請求項１〜１１のいずれか１項に記載の医薬製剤。
【請求項１３】
前記オリゴヌクレオチドキレート錯体は、各シトシンが５’メチルシトシンである少なくとも１つのオリゴヌクレオチドを含む、請求項１〜１２のいずれか１項に記載の医薬製剤。
【請求項１４】
前記オリゴヌクレオチドキレート錯体が、完全にホスホロチオエート化され、すべてのリボースが２’位でＯメチル修飾され、すべてのシトシンが５’メチルシトシンとして存在する少なくとも１つのオリゴヌクレオチドを含む、請求項１〜１３のいずれか１項に記載の医薬製剤。
【請求項１５】
前記オリゴヌクレオチドキレート錯体は、配列番号１〜６、１０〜１８、２１、及び２２から選択される少なくとも１つのオリゴヌクレオチドを含む、請求項１〜６のいずれか１項に記載の医薬製剤。
【請求項１６】
前記オリゴヌクレオチドキレート錯体が、皮下投与のために製剤化される、請求項１〜１５のいずれか１項に記載の医薬製剤。
【請求項１７】
前記オリゴヌクレオチドキレート錯体が、静脈点滴のために製剤化される、請求項１〜１５のいずれか１項に記載の医薬製剤。
【請求項１８】
前記オリゴヌクレオチドキレート錯体が、眼内、経口摂取、腸内、吸入、筋肉注射、腹腔内注射、髄腔内注射、髄腔内注入、気管内、静脈注射および局所投与からなる群から選択される投与のために製剤化される、請求項１〜１５のいずれか１項に記載の医薬製剤。
【請求項１９】
前記オリゴヌクレオチドキレート錯体が、エアロゾルによって投与するために製剤化される、請求項１〜１８のいずれか１項に記載の医薬製剤。
【請求項２０】
感染を引き起こすウイルスが、Ｂ型肝炎ウイルスである、請求項１に記載の医薬製剤。
【請求項２１】
感染を引き起こすウイルスが、ヘパドナウイルスである、請求項１に記載の医薬製剤。
【請求項２２】
感染を引き起こすウイルスが、デルタ型肝炎ウイルスである、請求項１に記載の医薬製剤。
【請求項２３】
感染を引き起こすウイルスが、インフルエンザである、請求項１に記載の医薬製剤。
【請求項２４】
感染を引き起こすウイルスが、レトロウイルス科のメンバー、ＨＩＶ−１、ＨＩＶ−２、ヘルペスウイルス科のメンバー、ＨＳＶ−１、ＨＳＶ−２、サイトメガロウイルス、ポックスウイルス科のメンバー、パラミクソウイルス科のメンバー、呼吸器合胞体ウイルス、パラインフルエンザウイルス、ブニヤウイルス科のメンバー、ハンタウイルス、フィロウイルス科のメンバー、エボラウイルス、マールブルグウイルス、フラビウイルス科のメンバー、黄熱病ウイルス、デングウイルス、ウエストナイルウイルス、Ｃ型肝炎ウイルス、オルトミクソウイルス科のメンバー、トガウイルス科のメンバー、コロナウイルス科のメンバー、ラブドウイルス科のメンバーおよびアレナウイルス科のメンバーからなる群から選択される、請求項１に記載の医薬製剤。
【請求項２５】
前記オリゴヌクレオチドキレート錯体が、配列番号２、配列番号１８、配列番号１１、または配列番号２１を含む、請求項１に記載の医薬製剤。
【手続補正２】
【補正対象書類名】明細書
【補正対象項目名】０１３２
【補正方法】変更
【補正の内容】
【０１３２】
（実施例ＩＶ）
ＯＮキレートは、ヒト患者における慢性ＨＢＶ感染に対し、有効な抗ウイルス剤である。
すでに慢性ＨＢＶに感染している患者に、上述のように当該技術分野の技術水準に従って、単純なナトリウム塩溶液として調製した匹敵するモル投薬量のＲＥＰ  ２０５５、カルシウムキレート錯体として調製した（国際出願公開第ＷＯ  ２０１２／０２１９８５号および米国出願公開第２０１２／００４６３４８号に従って、ＲＥＰ  ２１３９  １００ｍｇごとに３０ｍｇのＣａＣｌ2を用いて調製した）ＲＥＰ  ２１３９を週に１回投与した。ナトリウム塩ＮＡＰ（ＲＥＰ  ２０５５）と、カルシウムキレートＮＡＰ（ＲＥＰ  ２１３９−Ｃａ）の投与の抗ウイルス効果は、匹敵する投薬計画を用いて匹敵するモル投薬量で与えられるとき、血中のＨＢＶ表面抗原タンパク質（ＨＢｓＡｇ）のレベルの低下によって評価された（Ａｂｂｏｔｔ  ＡｒｃｈｉｔｅｃｔTMプラットフォームによって測定した場合）。ＲＥＰ  ２０５５およびＲＥＰ  ２１３９−Ｃａの抗ウイルス効果を表６に示す。
【表６】
2015517503.tif 000001
＊HBsAgのためのAbbott ArchitectTM定量試験によって決定した場合
【手続補正３】
【補正対象書類名】明細書
【補正対象項目名】配列表
【補正方法】変更
【補正の内容】
【配列表】
2015517503000001.app
【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
高濃度タンパク質溶液を限外濾過する方法であって、前記溶液のタンパク質濃度が40から60g/Lの間であるときにスクロースを前記溶液に添加した後で、限外濾過によりさらに濃縮する、方法。
【請求項２】
高濃度限外濾過保持液中の計算タンパク質濃度と測定タンパク質濃度との間の差を減少させる、請求項1に記載の方法。
【請求項３】
高濃度限外濾過保持液中の計算タンパク質濃度と測定タンパク質濃度との間の差が30%未満である、請求項1または2に記載の方法。
【請求項４】
スクロースの添加が、限外濾過される高濃度溶液を安定化する、請求項1に記載の方法。
【請求項５】
高濃度限外濾過保持液中のHMWP凝集物のレベルが1%または1%未満である、請求項1または4に記載の方法。
【請求項６】
限外濾過中のタンパク質の回収率を増大させる、請求項1に記載の方法。
【請求項７】
限外濾過中のタンパク質の回収率が、限外濾過される高濃度タンパク質溶液中のタンパク質の全量の94%以上である、請求項1または6に記載の方法。
【請求項８】
前記スクロースを高濃度タンパク質溶液に50mMから300mMの間の濃度で添加する、請求項1から7のいずれか一項に記載の方法。
【請求項９】
前記タンパク質が抗体である、請求項1から8のいずれか一項に記載の方法。
【請求項１０】
前記抗体がモノクローナル抗体である、請求項1から9のいずれか一項に記載の方法。
【請求項１１】
前記抗体が抗IL-20モノクローナル抗体である、請求項1から10のいずれか一項に記載の方法。
【請求項１２】
医薬組成物に使用するための、請求項1から11までのいずれか一項に記載のタンパク質または抗体溶液中のタンパク質または抗体を濃縮する方法。
【請求項１３】
請求項1から12のいずれか一項に記載の方法によって取得可能なタンパク質または抗体を含む、炎症性疾患を治療するための医薬組成物。
【手続補正書】
【提出日】平成28年4月18日(2016.4.18)
【手続補正１】
【補正対象書類名】特許請求の範囲
【補正対象項目名】全文
【補正方法】変更
【補正の内容】
【特許請求の範囲】
【請求項１】
天然ガス副産物を合成燃料に変換するための方法であって、
天然ガス源を供給するステップと、
前記天然ガスからエタン、プロパン、ブタン、ペンタンプラス、又はそれらの混合物を含む副産物を抽出するステップと、
前記副産物の１以上の少なくとも一部を備える供給原料を合成ガス発生器に供給して、水素リッチな合成ガス流れを生成して、該水素リッチな合成ガス流れをフィッシャ・トロプシュ反応器内で触媒的に変換して、合成燃料を生成するステップと、
を含む、方法。
【請求項２】
前記天然ガスが、前記天然ガスから気相及び炭化水素液相を生成するために処理される、請求項１に記載の方法。
【請求項３】
所定量のメタン、エタン、プロパン、ブタン、ペンタンプラス、又はそれらの混合物を生成するために前記炭化水素液相を分留するステップをさらに含む、請求項２に記載の方法。
【請求項４】
前記回路がフィッシャー・トロプシュ反応器を含む、請求項１から請求項３までの何れか一項に記載の方法。
【請求項５】
前記合成燃料が合成ディーゼルである、請求項１から請求項４までの何れか一項に記載の方法。
【請求項６】
前記合成燃料が合成ジェット燃料である、請求項１から請求項５までの何れか一項に記載の方法。
【請求項７】
前記燃料合成回路がガスの液化（ＧＴＬ）プラントを含む、請求項１から請求項６までの何れか一項に記載の方法。
【請求項８】
前記天然ガスが、ペンタン及びより高級なアルカンを除去するために抽出前に前処理される、請求項１から請求項７までの何れか一項に記載の方法。
【請求項９】
前記供給原料にメタンを加えるステップを含む、請求項１から請求項８までの何れか一項に記載の方法。
【請求項１０】
前記供給原料を前記燃料合成回路に導入する前に前記供給原料から前記エタンが除去される、請求項３に記載の方法。
【請求項１１】
前記供給原料を前記燃料合成回路に導入する前に前記供給原料から前記プロパンが除去される、請求項３に記載の方法。
【請求項１２】
前記供給原料を前記燃料合成回路に導入する前に前記供給原料から前記ブタンが除去される、請求項３に記載の方法。
【請求項１３】
合成ガス発生器、合成ガス調整回路、及びアップグレード回路を有する液化処理回路へのガス内で生産される合成ディーゼルの体積収率を増加させるための方法であって、
天然ガス源を供給するステップと、
該天然ガス源の少なくとも一部からメタン、エタン、プロパン、ブタン、ペンタンプラス、又はそれらの混合物を抽出するステップと、
エタン、プロパン、ブタン、ペンタンプラス、又はそれらの混合物を含む供給原料を前記の合成ガス発生器に供給して、水素リッチな流れを形成するステップと、
前記合成ガス発生器に供給原料を導入しない場合よりも高い収率で合成ディーゼルを調合するステップと、
を含む、方法。
【請求項１４】
前記合成ガス発生器が蒸気メタン改質器（ＳＭＲ）を含む、請求項１３に記載の方法。
【請求項１５】
前記合成ガス発生器が自己熱改質器（ＡＴＲ）を含む、請求項１３に記載の方法。
【請求項１６】
合成された炭化水素を準備するための方法であって、
天然ガス源を提供するステップと、
天然ガスからメタン、エタン、プロパン、ブタン、ペンタンプラス、又はそれらの混合物を含む副産物を抽出するステップと、
供給原料に用いられる前記副産物の１以上の少なくとも一部を合成ガス発生器に供給するステップと、
合成ガス発生器で水素リッチな合成ガス流れを調合するステップと、
少なくともナフサを含有する炭化水素を生産するために前記の水素リッチな合成ガス流れを触媒作用により変換するステップと、
増強された水素リッチな流れを生成するために前記ナフサの少なくとも一部を前記合成ガス発生器に再循環させるステップと、
合成された炭化水素の形成を増強するために前記増強された水素リッチな流れを変換用に再循環させるステップと、
を含む方法。
【請求項１７】
合成された炭化水素を準備するための方法であって、
天然ガス源を提供するステップと、
天然ガスからメタン、エタン、プロパン、ブタン、ペンタンプラス、又はそれらの混合物を含む副産物を抽出するステップと、
供給原料として用いられる前記副産物の１以上の少なくとも一部を合成ガス発生器へ提供するステップと、
合成ガス発生器で水素リッチな合成ガス流れを調合するステップと、
少なくともナフサを含有する炭化水素及び未変換のＦＴ（フィッシャー・トロプシュ）蒸気を生産するために前記水素リッチな合成ガス流れを触媒作用により変換するステップと、
増強された水素リッチな流れを生成するために前記ナフサ及び前記未変換のＦＴ蒸気の少なくとも一部を前記合成ガス発生器に再循環させるステップと、
合成された炭化水素の形成を増強するために前記増強された水素リッチな流れを変換用に再循環させるステップと、
を含む方法。
【請求項１８】
合成された炭化水素が合成ディーゼル及び合成ナフサを含む、請求項１６又は１７に記載の方法。
【請求項１９】
前記合成ガス発生器が自己熱改質器と蒸気メタン改質器との組み合わせを含む、請求項１６又は１７に記載の方法。
【請求項２０】
前記合成ガス発生器が、自己熱改質器と蒸気メタン改質器が単一のユニットに一体化された状態の、一体化されたユニット（ＸＴＲ）を含む、請求項１６又は１７に記載の方法。
【請求項２１】
合成された炭化水素が更に、合成ジェット燃料を含む、請求項１乃至９及び１３乃至２０の何れか一項に記載の方法。
【請求項２２】
供給原料としてエタンを供給するステップを含む、請求項１乃至９及び１３乃至２０の何れか一項に記載の方法。
【請求項２３】
供給原料としてプロパンを供給するステップを含む、請求項１乃至９及び１３乃至２０の何れか一項に記載の方法。
【請求項２４】
供給原料としてブタンを供給するステップを含む、請求項１乃至９及び１３乃至２０の何れか一項に記載の方法。
【請求項２５】
供給原料としてプロパンとブタンの混合物を供給するステップを含む、請求項１乃至９及び１３乃至２０の何れか一項に記載の方法。
【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
９４〜９６重量％の１，１，１，２−テトラフルオロエタン、
２〜３重量％のジフルオロメタン、及び
２〜３重量％のペンタフルオロエタンからなる冷媒組成物。
【請求項２】
ジフルオロメタン及びペンタフルオロエタンが、４０〜６０重量％のジフルオロメタン及び６０〜４０重量％のペンタフルオロエタンを含む混合物である、請求項１に記載の冷媒組成物。
【請求項３】
空調装置及び熱ポンプにおける、請求項１又は２に記載の冷媒組成物の使用。